(57)【特許請求の範囲】
【請求項１】
筒状をなす容器本体内に摺動自在に装着した中皿を押し上げることにより、容器本体に充填して成形した中味を該容器本体の上端開口部から突出させるようにし、中皿の外周面に設けたリブ山の外径を容器本体の内径より僅かに大径に形成して容器本体の内周面に嵌合させ摩擦作用で中皿を容器本体の任意の高さに係止可能とした押出式のスティック容器において、リブ山を中皿の下端外周面に設けると共に、該リブ山より大径の逃げを容器本体の下端内周面に設け、中皿が容器本体の最下降位置にあるときリブ山を前記逃げ内に位置づけて、リブ山と容器本体の内周面とを非接触状態としたことを特徴とする押出式スティック容器。
【請求項２】
リブ山を中皿の下端外周面に間欠的に設ける一方、容器本体の下端内周面におけるリブ山との対向位置に逃げを設けたことを特徴とする請求項１記載の押出式スティック容器。
【発明の詳細な説明】
【０００１】
【発明の属する技術分野】
この発明は、整髪用チック等のようなスティック容器に係り、特に筒状をなす容器本体に挿着した中皿を押し上げることによって容器本体に充填して成形した中味を容器本体の上端開口部に突出させるようにした押出式のスティック容器に関する。
【０００２】
【従来の技術】
従来、筒状をなす容器本体内に摺動自在に挿着した中皿を押し上げることにより、容器本体に充填して成形した中味を該容器本体の上端開口部に突出させるようにした押出式のスティック容器が知られている。又、かかる押出式スティック容器においては、中皿と容器本体の間の嵌合による摩擦力で押し上げ強度並びに押し下げ強度を得て中皿の保持安定性を確保するようにしている。
【０００３】
ところが、押出容器の本体である容器本体の内径は、成形時における型抜き勾配の関係から上端開口に至るにつれて僅かに大きくなっている。従って、中皿をセットして中味を容器本体に充填すると、この中味の充填時の熱で中皿が熱変形して収縮し、あるいは、充填から使用までの保管中に中皿が永久変形して中皿と容器本体の間の嵌合力が弱くなる為、中皿の押上量が増加するにつれて押し上げ強度並びに押し下げ強度が低下して中味の保持力が低下する懸念がある為に使用性が悪く、あるいは、容器本体への充填温度が制約される為に、収容可能な中味の種類が制限されてしまうという不具合があった。
【０００４】
【発明が解決しようとする課題】
この発明は、中味の充填にともなう熱変形による収縮あるいは長時間の弾性変形による永久変形を可及的に小さくして中皿の押し上げ強度ならびに押し下げ強度の低下を予防して安定した保持力を得ることが出来る押出式スティック容器を提供せんとするものである。
【０００５】
【課題を解決するための手段】
この発明は、筒状をなす容器本体内に摺動自在に装着した中皿を押し上げることにより、容器本体に充填して成形した中味を該容器本体の上端開口部から突出させるようにし、中皿の外周面に設けたリブ山の外径を容器本体の内径より僅かに大径に形成して容器本体の内周面に嵌合させ摩擦作用で中皿を容器本体の任意の高さに係止可能とした押出式のスティック容器において、リブ山を中皿の下端外周面に設けると共に、該リブ山より大径の逃げを容器本体の下端内周面に設け、中皿が容器本体の最下降位置にあるときリブ山を前記逃げ内に位置づけて、リブ山と容器本体の内周面とを非接触状態としたことを特徴とする。
【０００６】
又この発明は、リブ山を中皿の下端外周面に間欠的に設ける一方、容器本体の下端内周面におけるリブ山との対向位置に逃げを設けたことを特徴とする。
【０００７】
【発明の実施の形態】
以下に図を参照しつつ、この発明の好ましい実施の形態を詳細に説明する。図において（１）は容器本体を示している。容器本体（１）は、熱可塑性樹脂の筒状成形体で構成されており、その内部に中皿（２）を摺動自在に挿着している。
【０００８】
中皿（２）は、容器本体１の内径とほぼ同径の外径をした平面円形状の成形体で構成されている。又、上方に至るに従って次第に拡径する環状の係合リブ（３）を中皿（２）の底壁（４）の上面中央に設けると共に、容器本体（１）の内径より僅かに大径のリブ山（５）を中皿（２）の下端外周面に複数の等間隔で設けることにより、このリブ山（５）と容器本体（１）の内周面との間の嵌合による摩擦作用で中皿（２）を容器本体（１）の任意高さに係止出来るようにしている。図９に示すように、隣接するリブ山（５）の間は、容器本体（１）の内径より小径の小径部（１２）に形成され、該小径部（１２）の上端にストッパー段部（１３）が形成される。
【０００９】
一方、容器本体（１）の下部内周面には、前記中皿（２）のリブ山（５）と位置を整合してリブ山（５）の外径より大径の逃げ（６）を設けて、中皿（２）が容器本体（１）内の最下降位置にあるとき、リブ山（５）が容器本体（１）の内周面に接触しないようになっている。逃げ（６）の間は、前記中皿（２）の小径部（１２）と整合しており、小径部（１２）内に入り込むように内方に向かって突出した小径の凸部（７）に形成され、該凸部（７）の上部に前記ストッパー段部（１３）が掛止するストッパー部（８）が形成される。そして、中皿（２）が最下降位置にあるとき、ストッパー段部（１３）とストッパー部（８）との掛止により、中皿（２）の抜け落ちが防止される。
【００１０】
従って、中味（１１）の充填によって容器本体（１）及び中皿（２）が加熱された場合においてもリブ山（５）が容器本体（１）の内周面に接触していないため、リブ山（５）が熱変形して容器内周面との嵌合による摩擦作用が低下してくるようなおそれがなくなる。又、使用前に長時間が経過していた場合にも時間の経過にともなうリブ山（５）の永久変形が行なわれることがなく、リブ山（５）と容器本体内周面との摩擦接触力が保持され、中皿（２）を押し上げ位置で安定に保持することが出来る。
【００１１】
すなわち、中皿（２）を容器本体（１）の最下降位置に下降させて中味（１１）を充填する場合には、ストッパー段部とストッパー部との掛止により安定に保持されると共に、充填された中味の熱でリブ山（５）が変形するのを防止することが出来る。押し上げ操作した場合は、中皿（２）はリブ山（５）が容器本体内周面と摩擦接触しつつ上昇するため、上昇停止位置で安定に停止しずり落ちるようなおそれはない。（９）は凸部（７）の肉を減少させるための凹部、（１０）は容器本体（１）の上部に螺着した蓋、（１１）は中味を示している。
【００１２】
【発明の効果】
この発明の押出式スティック容器によれば、以下の如き効果を奏することが出来る。
【００１３】
１．中味の充填のために、中皿を容器本体の下端まで移動させた状態では、リブ山が逃げ内に位置し容器本体と接触しない為、容器本体による押し縮めがなく、容器本体に充填される中味の温度による熱変形並びに長時間の経過に伴うリブ山の永久変形が発生するおそれがなく、中皿の押し上げ強度並びに押し下げ強度が確保され、中味の保持安定性が改善される。
【００１４】
２．又、リブ山及びリブ山に対向する逃げを間欠的に設けた場合は、リブ山を円滑に弾性変形させることが出来ると共に、逃げを設けることによる容器本体の下端近傍の強度低下を可及的に小さくすることが出来る。
【図面の簡単な説明】
【図１】この発明にかかる押出式スティック容器の一実施形態を示す分解斜視図
【図２】図１に示した押出式スティック容器の蓋を取り付けた状態の外観図
【図３】図２の縦断面図
【図４】図１に示した押出式スティック容器の蓋を取り外した状態の外観図
【図５】図４の縦断面図
【図６】容器本体を下方から見た平面図
【図７】図６のＡ−Ａ断面図
【図８】中皿を下方から見た平面図
【図９】図８のＢ−Ｂ断面図
【図１０】図８のＣ−Ｃ断面図
【符号の説明】
（１）  容器本体
（２）  中皿
（３）  係合リブ
（４）  底壁
（５）  リブ山
（６）  逃げ
（７）  凸部
（８）  ストッパー部
（９）  凹部
（１０）  蓋
（１１）  中味
（１２）  小径部
（１３）  ストッバー段部
【図１】
0003611908.tif 000002
【図２】
0003611908.tif 000003
【図４】
0003611908.tif 000004
【図３】
0003611908.tif 000005
【図５】
0003611908.tif 000006
【図６】
0003611908.tif 000007
【図７】
0003611908.tif 000008
【図８】
0003611908.tif 000009
【図９】
0003611908.tif 000010
【図１０】
0003611908.tif 000011